(57)【特許請求の範囲】
【請求項１】
特定の症状の発現に関連する可能性のある事象を表す複数の項目を表示し、
前記複数の項目の中から少なくとも１つの項目を選択する第１の入力を受け取り、
前記特定の症状の発現に対応した第２の入力を受け取り、
第３の入力に応答して、前記第１の入力に係る情報及び前記第２の入力に係る情報の履歴を表示する
処理を携帯端末に実行させるプログラムであって、
前記第１の入力を受け取る処理は、
前記事象に係る時間情報を前記携帯端末の操作者に入力させるカレンダー又は時間軸を表示する処理を含む
プログラム。
【請求項２】
特定の症状の発現に関連する可能性のある事象を表す複数の項目を表示し、
前記複数の項目の中から少なくとも１つの項目を選択する第１の入力を受け取り、
前記特定の症状の発現に対応した第２の入力を受け取り、
第３の入力に応答して、前記第１の入力に係る情報及び前記第２の入力に係る情報の履歴を表示する
処理を携帯端末に実行させるプログラムであって、
前記第１の入力に係る情報の履歴に基づいて優先順位を更新する処理を前記携帯端末にさらに実行させ、
前記複数の項目を表示する処理及び前記履歴を表示する処理の少なくとも一方は、
前記優先順位に基づいて表示の優先順位を決定する処理を含む
プログラム。
【請求項３】
特定の症状の発現に関連する可能性のある事象を表す複数の項目を表示し、
前記複数の項目の中から少なくとも１つの項目を選択する第１の入力を受け取り、
前記特定の症状の発現に対応した第２の入力を受け取り、
第３の入力に応答して、前記第１の入力に係る情報及び前記第２の入力に係る情報の履歴を表示する
処理を携帯端末に実行させるプログラムであって、
前記第１の入力及び前記第２の入力の少なくとも一方が行われるべき時が到来したか否かを判断し、
前記第１の入力及び前記第２の入力の少なくとも一方が行われるべき時が到来したと判断した場合に、当該入力を促す表示を行う
処理を前記携帯端末にさらに実行させる
プログラム。
【請求項４】
前記履歴を表示する処理は、
前記履歴をカレンダー上に又は時間軸とともに表示する処理を含む
請求項１ないし３のうちいずれか１項に記載のプログラム。
【請求項５】
前記履歴をカレンダー上に又は時間軸とともに表示する処理は、
前記第１の入力に係る情報及び前記第２の入力に係る情報の少なくとも一方を色彩、濃淡、記号、標識、図形、又はそれらの組合せを用いて表示する処理を含む
請求項４に記載のプログラム。
【請求項６】
特定の症状の発現に関連する可能性のある事象を表す複数の項目を表示し、
前記複数の項目の中から少なくとも１つの項目を選択する第１の入力を受け取り、
前記特定の症状の発現に対応した第２の入力を受け取り、
第３の入力に応答して、前記第１の入力に係る情報及び前記第２の入力に係る情報の履歴を表示する
処理を携帯端末に実行させるプログラムであって、
前記履歴を表示する処理は、
前記履歴をカレンダー上に又は時間軸とともに表示する処理を含み、
前記履歴をカレンダー上に又は時間軸とともに表示する処理は、
前記第１の入力に係る情報及び前記第２の入力に係る情報の少なくとも一方を、濃淡及び濃淡の領域の面積を用いて表示する処理をさらに含む
プログラム。
【請求項７】
前記複数の項目を表示する処理及び前記履歴を表示する処理の少なくとも一方は、
設定された優先順位に基づいて表示の優先順位を決定する処理を含む、
請求項１ないし６のうちいずれか１項に記載のプログラム。
【請求項８】
前記携帯端末の操作者から、前記特定の症状の発現に関連する可能性のある事象を表す新たな項目を追加する第４の入力を受け取る
処理を前記携帯端末にさらに実行させる請求項１ないし７のうちいずれか１項に記載のプログラム。
【請求項９】
ネットワークを介して接続されるサーバから、前記特定の症状の発現に関連する可能性のある事象を表す新たな項目の入力を受け取る
処理を前記携帯端末にさらに実行させる請求項１ないし８のうちいずれか１項に記載のプログラム。
【請求項１０】
前記第１の入力に係る情報は、環境に係る情報を含む
請求項１ないし９のうちいずれか１項に記載のプログラム。
【請求項１１】
前記特定の症状の発現は、てんかん発作である
請求項１ないし１０のうちいずれか１項に記載のプログラム。
【請求項１２】
特定の症状の発現に関連する可能性のある事象を表す複数の項目を表示する事象項目表示部と、
前記複数の項目の中から少なくとも１つの項目を選択する第１の入力と前記特定の症状の発現に対応した第２の入力とを含む入力を受け取る入力情報受取部と、
第３の入力に応答して、前記第１の入力に係る情報及び前記第２の入力に係る情報の履歴を表示する履歴表示部と、
を有する携帯端末であって、
前記入力情報受取部において前記第１の入力を受け取る処理は、
前記事象に係る時間情報を前記携帯端末の操作者に入力させるカレンダー又は時間軸を表示する処理を含む
携帯端末。
【請求項１３】
特定の症状の発現に関連する可能性のある事象を表す複数の項目を表示する事象項目表示部と、
前記複数の項目の中から少なくとも１つの項目を選択する第１の入力と前記特定の症状の発現に対応した第２の入力とを含む入力を受け取る入力情報受取部と、
第３の入力に応答して、前記第１の入力に係る情報及び前記第２の入力に係る情報の履歴を表示する履歴表示部と、
を有する携帯端末であって、
前記第１の入力に係る情報の履歴に基づいて優先順位を更新する処理を実行し、
前記複数の項目を表示する処理及び前記履歴を表示する処理の少なくとも一方は、
前記優先順位に基づいて表示の優先順位を決定する処理を含む
携帯端末。
【請求項１４】
特定の症状の発現に関連する可能性のある事象を表す複数の項目を表示する事象項目表示部と、
前記複数の項目の中から少なくとも１つの項目を選択する第１の入力と前記特定の症状の発現に対応した第２の入力とを含む入力を受け取る入力情報受取部と、
第３の入力に応答して、前記第１の入力に係る情報及び前記第２の入力に係る情報の履歴を表示する履歴表示部と、
を有する携帯端末であって、
前記第１の入力及び前記第２の入力の少なくとも一方が行われるべき時が到来したか否かを判断し、
前記第１の入力及び前記第２の入力の少なくとも一方が行われるべき時が到来したと判断した場合に、当該入力を促す表示を行う
処理を実行する
携帯端末。
【請求項１５】
特定の症状の発現に関連する可能性のある事象を表す複数の項目を表示する事象項目表示部と、
前記複数の項目の中から少なくとも１つの項目を選択する第１の入力と前記特定の症状の発現に対応した第２の入力とを含む入力を受け取る入力情報受取部と、
第３の入力に応答して、前記第１の入力に係る情報及び前記第２の入力に係る情報の履歴を表示する履歴表示部と、
を有する携帯端末であって、
前記履歴を表示する処理は、
前記履歴をカレンダー上に又は時間軸とともに表示する処理を含み、
前記履歴をカレンダー上に又は時間軸とともに表示する処理は、
前記第１の入力に係る情報及び前記第２の入力に係る情報の少なくとも一方を、濃淡及び濃淡の領域の面積を用いて表示する処理をさらに含む
携帯端末。
【請求項１６】
特定の症状の発現に係る情報の履歴を携帯端末が表示する方法であって、
前記特定の症状の発現に関連する可能性のある事象を表す複数の項目を表示することと、
前記複数の項目の中から少なくとも１つの項目を選択する、第１の入力を受け付けることと、
前記特定の症状の発現に対応した第２の入力を受け付けることと、
第３の入力に応答して、前記第１の入力に係る情報及び前記第２の入力に係る情報の履歴を表示することと、
を含む方法であり、
前記第１の入力を受け付ける処理は、
前記事象に係る時間情報を前記携帯端末の操作者に入力させるカレンダー又は時間軸を表示する処理を含む
方法。
【請求項１７】
特定の症状の発現に係る情報の履歴を携帯端末が表示する方法であって、
前記特定の症状の発現に関連する可能性のある事象を表す複数の項目を表示することと、
前記複数の項目の中から少なくとも１つの項目を選択する、第１の入力を受け付けることと、
前記特定の症状の発現に対応した第２の入力を受け付けることと、
第３の入力に応答して、前記第１の入力に係る情報及び前記第２の入力に係る情報の履歴を表示することと、
を含む方法であり、
前記第１の入力に係る情報の履歴に基づいて優先順位を更新する処理を前記携帯端末が実行し、
前記複数の項目を表示する処理及び前記履歴を表示する処理の少なくとも一方は、
前記優先順位に基づいて表示の優先順位を決定する処理を含む
方法。
【請求項１８】
特定の症状の発現に係る情報の履歴を携帯端末が表示する方法であって、
前記特定の症状の発現に関連する可能性のある事象を表す複数の項目を表示することと、
前記複数の項目の中から少なくとも１つの項目を選択する、第１の入力を受け付けることと、
前記特定の症状の発現に対応した第２の入力を受け付けることと、
第３の入力に応答して、前記第１の入力に係る情報及び前記第２の入力に係る情報の履歴を表示することと、
を含む方法であり、
前記第１の入力及び前記第２の入力の少なくとも一方が行われるべき時が到来したか否かを判断し、
前記第１の入力及び前記第２の入力の少なくとも一方が行われるべき時が到来したと判断した場合に、当該入力を促す表示を行う
処理を前記携帯端末が実行する
方法。
【請求項１９】
特定の症状の発現に係る情報の履歴を携帯端末が表示する方法であって、
前記特定の症状の発現に関連する可能性のある事象を表す複数の項目を表示することと、
前記複数の項目の中から少なくとも１つの項目を選択する、第１の入力を受け付けることと、
前記特定の症状の発現に対応した第２の入力を受け付けることと、
第３の入力に応答して、前記第１の入力に係る情報及び前記第２の入力に係る情報の履歴を表示することと、
を含む方法であり、
前記履歴を表示する処理は、
前記履歴をカレンダー上に又は時間軸とともに表示する処理を含み、
前記履歴をカレンダー上に又は時間軸とともに表示する処理は、
前記第１の入力に係る情報及び前記第２の入力に係る情報の少なくとも一方を、濃淡及び濃淡の領域の面積を用いて表示する処理をさらに含む
方法。
【発明の詳細な説明】
【技術分野】
【０００１】
本発明は、症状の情報を管理するプログラム、症状の情報を管理する装置、及び症状の情報を管理する方法に関する。
【背景技術】
【０００２】
患者又は介護を要する者に特定の症状が発現したときに、その症状の発現に係る情報と、関連する情報を記憶していき、診断及び発症の予測等に用いることができるよう、それら情報を表示する、あるいは分析することができるシステムが存在する。
【０００３】
例えば、てんかんなどの疾病を持つ者の療育を支援する、携帯端末用のプログラムであって、てんかんなどの発作が発生したときに、発作発生の時刻、発作の種類、発作を起こしている状態を撮影した動画といった発作に係る情報と、携帯端末の操作者が入力する文字の情報（文字を含むメモ）とを対応付けてメモリに記録し、それら情報を互いに対応付けて携帯端末の画面に表示するプログラムの技術が存在する（例えば特許文献１参照）。
【０００４】
また、例えば、認知症周辺症状（認知症の行動・心理症状；ＢＰＳＤ）の発症を予測することができるシステムであって、介護者などが入力した介護記録データから徘徊や妄想などのＢＰＳＤの症状に該当するデータを抽出して蓄積するとともに、センサにより取得された体動データに基づいて対象人物の睡眠状態を常時判定して蓄積し、それらＢＰＳＤ発症に係るデータと睡眠状態に係るデータとに基づいて発症の要因を分析することによってＢＰＳＤ発症を予測することができるシステムの技術が存在する（例えば特許文献２参照）。
【０００５】
こうした従来の技術では、情報の入力についてみると、症状の発現に関連する情報を記憶し蓄積していくために、煩雑となり得る入力作業を必要としたり、特殊なセンサを有していたりすることが必要であった。また、従来の技術では、症状の発現に関連する情報についてみると、操作者のメモである文字の情報のように、自由ではあるが類型化されていない情報であったり、センサにより取得されたデータに基づく睡眠状態に係るデータのように、「睡眠」といった特定の領域の情報であったりしていた。さらに、記憶され蓄積された情報の出力についてみると、類型化された情報の履歴などが理解しやすいように表示されるものではなかった。
【先行技術文献】
【特許文献】
【０００６】
【特許文献１】特許第６７５５０６６号公報
【特許文献２】特開２０１９−７６６８９号公報
【発明の概要】
【発明が解決しようとする課題】
【０００７】
開示の技術は、特定の症状の発現に関連する可能性のある種々の事象について、簡便な入力により情報の蓄積を可能とし、かかる事象に関する情報の履歴などをより認識しやすく表示し得る、プログラム、装置、及び方法を提供することを目的とする。
【課題を解決するための手段】
【０００８】
開示の技術によれば、特定の症状の発現に関連する可能性のある事象を表す複数の項目を表示し、前記複数の項目の中から少なくとも１つの項目を選択する第１の入力を受け取り、前記特定の症状の発現に対応した第２の入力を受け取り、第３の入力に応答して、前記第１の入力に係る情報及び前記第２の入力に係る情報の履歴を表示する処理を携帯端末に実行させる、プログラム等が提供される。
【発明の効果】
【０００９】
開示の技術によれば、特定の症状の発現に関連する可能性のある種々の事象について、簡便な入力により情報の蓄積が可能となり、かかる事象に関する情報の履歴などをより認識しやすく表示することができる。
【図面の簡単な説明】
【００１０】
【図１】図１は、開示の技術の実施形態を概略的に示す図である。
【図２】図２は、実施形態のハードウェア構成を示す図である。
【図３】図３は、携帯端末上で実施形態のプログラムが起動したときの画面であって、第１から第３の入力が可能となっている、画面の例を示す図である。
【図４】図４は、実施形態において、第３の入力に応答し、第１の入力に係る情報である、日ごとの体調等の情報の履歴、及び、第２の入力に係る情報である、日ごとの発作発生回数の履歴が、ある月についてカレンダー上に一覧で表示されているとともに、一部の日について第１の入力を促す表示がなされている、画面の例を示す図である。
【図５】図５は、実施形態において、ある特定の日について、第１の入力に係る情報及び第２の入力に係る情報、並びに環境に係る情報の表示がなされている、画面の例を示す図である。
【図６】図６Ａ及び図６Ｂは、実施形態において、第２の入力を促す表示がなされている、画面の例を示す図である。
【図７】図７は、第１の入力に係る情報である睡眠時間に関する情報の履歴、及び、第２の入力に係る情報である発作発生日時の情報の履歴が、１日の時間軸とともに表示されている、画面の例を示す図である。
【図８】図８は、実施形態の携帯端末の構成を示す図である。
【図９】図９は、実施形態における処理の例を示すフローチャートである。
【図１０】図１０Ａ及び図１０Ｂは、選択対象である複数の項目の表示及び履歴の表示に用いられる優先順位を第１の入力に係る情報の履歴に基づいて更新する処理（サブルーチン）の例を示すフローチャートである。
【発明を実施するための形態】
【００１１】
以下、図面を用いて実施の形態について説明する。
【００１２】
なお、以下の実施形態の説明では、特定の症状の発現が、てんかん発作である場合を例にして説明を行うが、開示の技術は、てんかん発作への適用に限定されるものでは決してない。特定の症状の発現がてんかん発作以外の場合にも、開示の技術を適用することができることは、いうまでもない。
【００１３】
図１は、開示の技術の実施形態を概略的に示す図である。
てんかんのような、特定の症状の発現を伴う疾病について、診断及び治療方針の決定を行ううえでは、介助者や周囲の者、あるいは可能な場合には患者本人が、発現した症状（例えば、てんかんの発作の状況）を記録することが重要であるとともに、症状の発現に関連する可能性のある、体調等に係る事象、例えば、睡眠不足、発熱、嘔吐といった事象について記録をしていくことも、重要である。そのような記録を行い、また記録として蓄積した情報を表示するうえで、携帯端末を有効に利用することができる。
そのうち、発現した症状の記録に関しては、典型的な症状についてあらかじめ入力内容を用意しておく、発現の日時について携帯端末から情報を取得する、また、症状の具体的な状況については発症時の様子を動画で撮影する、といった方策により、記録の入力を簡便化することが考えられる。
他方で、症状の発現に関連する可能性のある事象の記録に関しては、介助者等である携帯端末の操作者が文字入力を行うことにより作成することが考えられるが、入力内容の自由度の反面、入力に手間を要することがあり得るほか、自由入力された文字の情報は、一般に類型化され整理された情報ではないため、後に蓄積された情報の履歴を表示した際に、認識しやすい情報となっていないことがあり得る。
【００１４】
そこで、開示の技術の実施形態では、携帯端末１００において、特定の症状の発現（例えばてんかん発作）に関連する可能性のある、体調等に係る事象を表す、複数の項目を領域１１０に表示し（１１１）、それら複数の項目の中から少なくとも１つの項目を選択する第１の入力を受け取り（１１２）、前記特定の症状の発現に対応した第２の入力を領域１２０より受け取り（１２２）、第３の入力（１３０）に応答して、前記第１の入力に係る情報及び前記第２の入力に係る情報の履歴を表示する（１３２）処理を、プログラムが当該携帯端末１００に実行させる、という技術的手段をとる。
この実施形態によれば、特定の症状の発現（例えばてんかん発作）に関連する可能性のある、体調等に係る種々の事象について、項目の選択という簡便な入力により情報を蓄積することが可能となる。また、蓄積された事象に係る情報の履歴は、選択された項目の履歴表示などの形で、特定の症状の発現に係る情報の履歴とともに、携帯端末上で認識しやすく表示することができる。このような履歴の表示を見ることにより、医師等の医療関係者、介助者、あるいは患者本人は、体調等に係る種々の事象のうち、どのような事象が該当の患者における症状の発現に関連性が高そうかを知ることも可能となる。個々の患者について症状の発現に関連性が高そうな事象を知ることで、症状の発現の予測、予防、抑制等に資することができる。
【００１５】
後に具体的に説明するように、事象を表す複数の項目の表示及び／又は履歴の表示については、設定された優先順位に基づいて行なってもよく、あるいは、その優先順位を第１の入力に係る情報の履歴に基づいて更新するものとし、もって、個々の患者に適した優先順位で事象を表す複数の項目及び／又は履歴が表示されるようにしてもよい。こうすることにより、事象を表す項目を選択する第１の入力を一層簡便化すること、あるいは履歴の表示を一層認識しやすいものとすることが可能となる。
【００１６】
また、履歴の表示は、カレンダー上に行われるようにしてもよい。それにより、適当な期間（例えば１か月間）にわたって、第１の入力に係る情報及び第２の入力に係る情報の履歴を、良好な一覧性をもって認識しやすく表示することが可能となる。履歴の表示は、時間軸（例えば１日２４時間を表す時間軸）とともに行われるようにしてもよい。カレンダー上に又は時間軸とともに行われる情報の履歴の表示は、色彩、濃淡、記号、標識、図形、又はそれらの組合せを用いて行われるようにしてもよい。それにより、カレンダー上の狭い面積の領域内又は時間軸とともに表示される狭い面積の領域内であっても、情報の履歴を認識しやすく表示することが可能となる。さらに、事象を表す項目を選択する第１の入力の際に、カレンダー表示又は時間軸表示を伴うようにしてもよい。
【００１７】
第１の入力及び第２の入力の少なくとも一方について、当該入力が行われるべき時が到来したか否かをプログラムが判断し、当該入力が行われるべき時が到来したと判断した場合に、当該入力を促す表示を行うようにしてもよい。その際、例えば、診察日が近づいているが当該入力が行われていない日がある場合、一定期間内に当該入力が行われていない日が一定数ある場合、あるいは一定期間にわたり当該入力が行われていない場合に、当該入力が行われるべき時が到来したと判断することができる。
【００１８】
特定の症状の発現に関連する可能性のある事象を表す項目に関しては、新たな項目の追加が可能となるよう、プログラムが、携帯端末の操作者から新たな項目を追加する第４の入力を受け取る処理、あるいは、ネットワークを介して接続されるサーバから新たな項目の入力を受け取る処理を、携帯端末に実行させるようにしてもよい。
【００１９】
プログラムがさらに、環境に係る情報、例えば気温や気圧に関する情報を携帯端末から、あるいは、ネットワークを介して接続されるサーバから取得する処理と、当該情報を表示する処理を、携帯端末に実行させるようにしてもよい。
【００２０】
図２は、実施形態の携帯端末２００のハードウェア構成を示す図である。
携帯端末２００は、例えば、特定の症状の発現に関連する可能性のある事象を表す複数の項目の表示、それら複数の項目の中から少なくとも１つの項目を選択する第１の入力、前記特定の症状の発現に対応した第２の入力、第３の入力に応答した、前記第１の入力に係る情報及び前記第２の入力に係る情報の履歴の表示などを行うことができる端末である。携帯端末２００は、ネットワーク２１５を介して、他の端末装置２８０や外部のサーバ２９０などと接続される。
【００２１】
携帯端末２００は、ＣＰＵ２０１、ＲＯＭ２０２、ＲＡＭ２０３、ネットワークインターフェース２０５、入力インターフェース２０６、出力インターフェース２０７、及び外部メモリインタフェース２０８を有する。
【００２２】
ネットワークインターフェース２０５には、ネットワーク２１５が接続されている。ネットワーク２１５には、前記のサーバ２９０及び他の端末装置２８０等が接続される。入力インターフェース２０６には、ソフトウェアキーボード、タッチセンサ、カメラ、及びマイクなどの入力デバイスが接続され得る。出力インターフェース２０７には、ディスプレイ及びスピーカなどの出力デバイスが接続され得る。外部メモリインタフェース２０８には、記憶媒体２１８が接続されている。本実施形態を実現するコンピュータプログラムは、実態のある（tangible）一時的でない（non-transitory）メモリである記憶媒体２１８、ＲＯＭ２０２、又はＲＡＭ２０３に記憶される。このコンピュータプログラムは、ＣＰＵ２０１によって実行される。
【００２３】
また、このコンピュータプログラムは、ネットワーク２１５を介してダウンロードされ得る。これらのハードウェアは、バス２０４によって相互に接続されている。
図２に示されるハードウェアの構成は一例であって、その他のハードウェアが存在し得る。
【００２４】
携帯端末２００において取得された情報は、ネットワーク２１５を介して、遠隔地にあるサーバ２９０、医師等の医療関係者、介助者、家族、支援拠点などの端末装置２８０に伝達され得る。逆に、携帯端末２００は、サーバ２９０からネットワーク２１５を介して情報を受け取り得る。サーバ２９０からネットワーク２１５を介して携帯端末２００が受け取り得る情報には、特定の症状の発現に関連する可能性のある事象を表す項目であって携帯端末２００に記憶されていない新たな項目に関する情報や、環境に係る情報（例えば気温や気圧に関する情報）が含まれる。サーバ２９０には、情報を記憶するクラウドストレージ機能が存在してもよい。
【００２５】
以下に示す実施形態における処理は、矛盾のない限り、順番を入れ換えることができる。また、複数の処理が同時に実行されてもよい。
本明細書に記載されている実施形態は一例であって、特許請求の範囲において特定された発明を限定するためのものと解釈してはならない。
以下の実施形態は、プログラムの発明、装置としての携帯端末の発明、方法の発明、及びプログラムを記録した記憶媒体の発明などのカテゴリとして把握され得る。
【００２６】
図３は、実施形態に係るプログラムが起動した後の、携帯端末３００の画面を示す図である。
携帯端末３００の画面の領域３１０には、「体調等入力」との表示のもと、てんかん発作（特定の症状の発現）に関連する可能性のある事象を表す複数の項目が表示されている。図３に示す実施形態では、かかる事象として、次のような項目が表示されている。まず、「問題なし」のほか、「発熱」、「不眠」（ここでは睡眠不足一般を意味する）、「咳」、「嘔吐」、「食欲低下」、「過労」、「精神緊張」といった、体調に関連する項目が簡潔な形で表示されている。また、体調に関連する項目だけではなく、「服薬忘れ」といった治療に関連する項目や、「動画視聴」（ここでは特に光や音が強い動画の視聴が念頭にある）といった患者の行動に関連する項目も表示されている。このように、領域３１０には、体調に関連する項目をはじめとして、それに限らず、てんかん発作に関連する可能性のある事象を表す複数の項目が表示されている。
もちろん、図３に示す実施形態におけるこれらの項目は、例示にすぎず、特定の症状の発現に関連する可能性のある事象を表す項目として、様々なものがあり得ることは、いうまでもない。また、全項目を領域３１０に一度に表示しきれない場合、スクロールダウンすることにより全項目を表示し得るようにすることができる点も、もちろんである。
【００２７】
これら事象を表す複数の項目の表示の順序は、特定の優先順位により定められている。当該優先順位は、設定された優先順位に基づいて、プログラムにより決定することができる。その優先順位は、携帯端末の操作者が任意に設定し又は設定変更することができるものでもよい。あるいは、優先順位は、これら事象を表す複数の項目の中から少なくとも１つの項目を選択する「第１の入力」に係る情報の履歴に基づいて、更新していくようにすることもできる。
この第１の入力に係る情報の履歴に基づく優先順位の更新は、次のようにして行われ得る。例えば、プログラムが、事象を表す複数の項目の各々について、過去に又は直近の一定期間内に第１の入力として選択された回数の情報を取得し、当該回数の多い項目に高い優先順位を付与するようにすることができる。あるいは、発作との関連性（発作との相関）が高いと判断される項目が優先されるようにしてもよい。例えば、プログラムが、事象を表す複数の項目の各々について、発作が発生した日又は一定回数以上の発作が発生した日と同じ日又はその前日に第１の入力として選択された回数の情報を取得し、当該回数の多い項目に高い優先順位を割り当てるようにすることができる。プログラムはまた、事象を表す複数の項目の各々について、患者一般に関する情報としてあらかじめテーブル形式で用意されている、発作との関連性を点数化した数値を読み込み、当該数値を、上記の選択された回数に応じて点数化された数値と合算し、合算された数値の高い項目に高い優先順位を割り当てるようにすることができる。かかる発作との関連性を点数化した数値は、ネットワークを介して接続されるサーバから取得され、又はサーバから取得される情報により更新されるようにしてもよい。なお、第１の入力に係る情報の履歴に基づく優先順位の更新は、発作が発生した後の第１の入力に係る情報の履歴も考慮して、行うようにしてもよい。例えば、プログラムが、発作が発生した日又は一定回数以上の発作が発生した日の翌日における第１の入力に係る情報を、一定の重みをつけて優先順位の割り当てに用いてもよい。
【００２８】
プログラムが、このようにして更新される優先順位に基づいて、項目の表示の優先順位を決定することにより、該当する患者について過去に行われた第１の入力の内容が、項目の表示の順序に反映されることとなる。このため、個々の患者に適した優先順位で事象を表す複数の項目が表示されることとなり、事象を表す項目を選択する第１の入力を一層簡便化することが可能となる。
【００２９】
領域３１０に表示された、てんかん発作（特定の症状の発現）に関連する可能性のある事象を表す複数の項目は、画面上でタップする操作を行うことにより選択することが可能な、ボタンの形式のものとなっている。携帯端末３００の操作者は、これら複数の項目から、１又は複数の項目を選択する入力を行うことにより、かかる事象についての記録を行うことができる。この入力が、「第１の入力」となる。図３に示す実施形態では、そうした第１の入力の内容は、入力が行われた日又は後述の領域３４０において操作者が指定する日と関連付けられて記憶され、蓄積されていく。本実施形態では、第１の入力の内容と、当該日の情報とが、「第１の入力に係る情報」に含まれる。
【００３０】
第１の入力の内容に関連して、携帯端末３００の操作者からさらに詳細な情報の入力を受け付けるようにしてもよい。例えば、「発熱」の項目に関して体温の値を入力できるようにしたり、「不眠」の項目に関して睡眠時間又は就寝時刻及び起床時刻を入力できるようにしたりしてもよい。あるいは、服用している薬に関する情報、例えば薬の種類又は名称、場合により服薬時刻を入力できるようにしてもよい。さらには、任意で携帯端末３００の操作者が事象に係るメモを文字入力することができるようにしてもよい。これらの追加的な入力の内容も、「第１の入力に係る情報」に含まれ得る。さらには、携帯端末から、あるいはサーバから取得することができる、環境に係る情報（例えば、気温や気圧に関する情報）も、「第１の入力に係る情報」に含まれ得る。
なお、服用している薬に関する情報を入力できるようにする場合においては、あらかじめ設定されている薬の種類又は名称から、携帯端末３００の操作者が選択できるようにすることができる。そのような薬の種類又は名称の設定は、操作者が処方箋の画像を撮影しサーバ２９０に送信し、サーバが自動的に処方箋の内容を解析し、その解析結果を携帯端末３００に送り返すこととで、設定されるようにしてもよい。あるいは、ネットワークを介して接続される他の端末装置２８０を操作する専門家により処方箋の情報が入力されることによって、薬の種類又は名称の設定がなされるようにしてもよい。
【００３１】
領域３１０に表示される、てんかん発作（特定の症状の発現）に関連する可能性のある事象を表す複数の項目に関しては、プログラムが新たな項目の追加を受け付けるようにすることができる。このために、プログラムは、携帯端末の操作者から新たな項目を追加する文字入力を「第４の入力」として受け取る処理を、携帯端末に実行させることができる。あるいは、ネットワークを介して接続されるサーバから新たな項目の入力を受け取る処理を、プログラムが携帯端末に実行させるようにしてもよい。
【００３２】
携帯端末３００の画面上の領域３２０は、てんかん発作（特定の症状の発現）に対応した「第２の入力」を行うことができる領域である。本実施形態では、「発作発生」、「発作終了」、及び「発作なし」のボタンが選択可能に現れている。該当の患者にてんかん発作が発生し、携帯端末３００の操作者が「発作発生」ボタンをタッチすると、その時の日時が携帯端末より取得され、発作が発生したという第２の入力の内容が、当該日時の情報と関連付けられて記憶され、蓄積されていく。本実施形態では、第２の入力の内容と、取得された日時の情報とが、「第２の入力に係る情報」に含まれる。
【００３３】
ここで、例えば、「発作発生」を示す第２の入力の内容及び取得された日時の情報の蓄積から直ちに導かれる、特定の日における発作発生の回数も、「第２の入力に係る情報」に含まれ得る。さらに、「第２の入力に係る情報」には、他の種々の情報も含まれ得る。例えば、「発作終了」ボタンがタッチされた時刻を、発作終了時刻として、第２の入力に係る情報に含ませることができる。発作終了時刻の代わりに、あるいは発作終了時刻と併せて、発作継続時間が記憶されるようにしてもよい。また、「発作発生」ボタンがタッチされたとき、発作の種類を選択入力するボタンが表示されるようにしてもよい。そのようにして発作の種類が入力された場合においては、入力された発作の種類の情報を、第２の入力に係る情報に含ませることができる。さらには、「発作発生」ボタンがタッチされたとき、「撮影開始」ボタンが表示されるようにし、携帯端末３００の操作者が当該ボタンをタッチすることによって、患者の動画の撮影が開始されるようにすることができる（「発作発生」ボタンがタッチされたときに、直ちに動画の撮影が開始されるようにしてもよい。）。そのようにして動画が撮影された場合においては、動画の存在情報を第２の入力に係る情報に含ませることができる。ほかに、任意で携帯端末３００の操作者が発作の状況に係るメモを文字入力することができるようにしてもよい。
【００３４】
携帯端末３００の画面上の領域３３０は、携帯端末３００の操作者が、前記第１の入力に係る情報及び前記第２の入力に係る情報の履歴を表示することを求める「第３の入力」を行うことができる領域である。本実施形態では、当該領域３３０は、「発作履歴表示」ボタンの形態をとっている。操作者がこのボタンをタップすることにより、後述する発作履歴表示画面が現れる。
【００３５】
携帯端末３００の画面上の領域３４０には、年月日及び曜日が、カレンダー形式で表示されている。実施形態において、年月日及び曜日は、初期状態では画面表示がなされている現在の年月日及び曜日であるが、携帯端末３００の操作者は、過去の日における体調等入力を第１の入力として行う際には、領域３４０のタップ操作により、過去の日を呼び出して、第１の入力を行うことができる。そのカレンダー表示されている日は、第１の入力が行われたとき、前述のように、第１の入力の内容と関連付けられて記憶され、蓄積されていく。
【００３６】
図４は、実施形態において携帯端末４００に表示される発作履歴表示画面を示す。これは、前記第３の入力に応答して、前記第１の入力に係る情報及び前記第２の入力に係る情報の履歴を表示する処理がなされた結果として表示される画面の一例であり、月単位の履歴がカレンダー上に表示されている。
【００３７】
図４中の４１０は、てんかん発作（特定の症状の発現）に関連する可能性のある事象を表す複数の項目から携帯端末４００の操作者が１又は複数の項目を選択する入力を行う、第１の入力の内容を示す表示であって、具体的には体調等入力の履歴を示している。これは、第１の入力に係る情報の履歴が表示されている一例である。第１の入力に係る情報の履歴は、例えば、画面上の色彩や濃淡、さらにはアルファベット、数字、特殊記号などからなる記号、アイコンや絵文字又はいわゆるスタンプのような標識、あるいは三角形や四角形のような図形を用いて表示してもよい。第１の入力の内容は、複数の項目からの選択によるものであるため、文字入力の場合のような類型化されていない情報とは異なり、履歴の表示にあたって、ここに例示したような表示を容易に行うことができる。
【００３８】
同図中の符号４２０は、該当する日において発作が発生した回数を画面上の色彩又は濃淡を用いて表示している例である。図示の実施形態では、画面背景とは異なる色、又は画面背景よりも濃い領域の面積をもって、該当する日において発作が発生した回数を示しており、例えば、その月の２日水曜日には３回、４日金曜日には１回、５日土曜日には２回の発作が起こったことを示している。面積の代わりに、あるいは面積と併せて、画面の該当領域の濃さによって、発作の回数を示してもよいことは、もちろんである。また、符号４２２の丸印は、該当する日において発作が発生しなかったことが記録されていることを示している。これら４２０や４２２は、第２の入力に係る情報の履歴を表示している。
【００３９】
このように、第１の入力に係る情報及び／又は第２の入力に係る情報は、色彩、濃淡、記号、標識、図形、又はそれらの組合せを用いて表示することができ、それにより、カレンダー上の狭い面積の領域内であっても、情報の履歴を認識しやすく表示することが可能となる。
【００４０】
第１の入力に係る情報の履歴及び／又は第２の入力に係る情報の履歴の表示に際しては、既述した事象を表す複数の項目の表示の順序の場合と同様、特定の優先順位により表示の順序が定められるようにすることができる。
例えば、図４において表示されている当該月の１０日木曜日には、第１の入力である体調等の入力として、「発熱」、「不眠」、及び「食欲低下」が記憶され蓄積されていた。ここで、設定されている優先順位により、あるいは対象の患者の場合における、これまでの第１の入力の履歴に基づいて、「発熱」、「不眠」、「食欲低下」の順に下がっていく優先順位となっていることから、「発熱」及び「不眠」が優先的に表示されている。なお、その１０日木曜日に関して、図４の月単位の履歴表示画面では表示されていない「食欲低下」の項目も、当該日の詳細情報を表示している後述の図５においては、表示されている。
【００４１】
また、第２の入力に関しても、表示の優先順位に基づいて情報の履歴を表示することもできる。例えば、図４における日々の発作回数の表示よりも、特定の種類の発作の有無、あるいは発作発生時の状況を撮影した動画の存否の表示のほうが、優先順位が高い場合には、発作回数の表示ではなく、特定の種類の発作の有無や動画の存否の表示を優先して行うようなことも、可能である。第１の入力に係る情報の履歴の表示及び第２の入力に係る情報の履歴の表示の双方について優先順位を用いる場合においては、それぞれの表示に係る優先順位を互いに異なったものとすることができることは、いうまでもない。
【００４２】
既述のように、当該優先順位は、設定された優先順位に基づいて、プログラムにより決定することができる。その優先順位は、携帯端末の操作者が任意に設定し又は設定変更することができるものでもよい。あるいは、当該優先順位は、第１の入力に係る情報の履歴に基づいて、更新していくようにすることもできる。プログラムが、このようにして更新される優先順位に基づいて、履歴の表示の優先順位を決定することにより、該当する患者について過去に行われた第１の入力の内容が、履歴の表示の順序に反映されることとなる。このため、個々の患者に適した優先順位で履歴が表示されることとなり、履歴の表示を一層認識しやすいものとすることが可能となる。例えば、そのような優先順位で履歴が表示されることにより、履歴表示画面（例えば、履歴表示をカレンダー上で行う画面）における限られた面積の領域内に、個々の患者にとり発作との関連性が高いと考えられる事象が優先して表示されることも可能となり、履歴の表示が一層認識しやすいものとなり得る。なお、事象を表す複数の項目の表示及び情報の履歴の表示の双方について優先順位を用いる場合において、それぞれの表示に係る優先順位を互いに異なったものとしてもよい。
【００４３】
実施形態の携帯端末４００においては、診察日の登録を行うことも可能となっており、登録された診察日がカレンダー上、符号４３０の印により表示されている。
携帯端末４００の領域４４０においては、プログラムが、第１の入力が行われるべき時が到来したと判断したしたことにより、当該入力を携帯端末の操作者に促す表示が行われている。ここで、例えば、診察日が近づいているが当該入力が行われていない日がある場合、一定期間内に当該入力が行われていない日が一定数ある場合、あるいは一定期間にわたり当該入力が行われていない場合に、当該入力が行われるべき時が到来したと判断することができる。後述のように、第２の入力が行われるべき時が到来したと判断した場合に、当該入力を促す表示を行われるようにしてもよい。
【００４４】
実施形態の携帯端末においては、図４に示す月単位の履歴表示画面の中にて特定の日の領域内をタップすると、その特定の日についてのより詳しい情報を表示することができる。図５は、図４における該当月の１０日木曜日の領域内をタップしたあと、当該日について、より詳しい情報が表示されている状態を示している。具体的には、携帯端末５００の画面上の領域５１０には、第１の入力に関し、その日について選択され記憶されている項目が全て表示されている。ここでは、図４の月単位の発作履歴表示画面では優先順位の関係で表示されていなかった、「食欲低下」の項目も表示されている。また、第２の入力に関しては、領域５２０に、その日における発作の発生回数のみならず、それぞれの発作について、既述のように取得ないし入力された、発作発生の時刻や発作の種類の情報も、表示されている。さらに、領域５３０には、環境に係る情報として、気温及び気圧に係る情報が表示されている。そのような環境に係る情報は、携帯端末５００から、あるいは携帯端末５００がネットワーク２１５を介して接続されるサーバ２９０から取得することができる。環境に係る情報は、月単位あるいは週単位の履歴を表示する画面（例えば、履歴を月単位あるいは週単位のカレンダー上に表示する画面）に含ませるようにしてもよい。それにより、携帯端末の操作者が、環境に係る情報の履歴を一目で認識することが可能となる。
【００４５】
図６Ａ及び図６Ｂは、実施形態において、第２の入力を促す表示がなされている、携帯端末６００の画面の例を示す図である。既述のように、第２の入力について、当該入力が行われるべき時が到来したか否かをプログラムが判断し、当該入力が行われるべき時が到来したと判断した場合に、当該入力を促す表示を行うようにしてもよい。図６Ａは、一定期間内（例えば１週間以内）に発作の有無に関する入力が行われていない日がある又は一定数ある場合に、当該入力が行われるべき時が到来したとプログラムが判断した結果、入力を促す表示が行われている画面の例を示している。図６Ｂは、登録されている診察日が近づいているが、一定期間内（例えば１か月以内）に発作の有無に関する入力が行われていない日がある場合に、当該入力が行われるべき時が到来したとプログラムが判断した結果、入力を促す表示が行われている画面の例を示している。
【００４６】
履歴の表示は、カレンダー上に行われる代わりに、あるいはカレンダー上に行われるのに加えて、時間軸とともに行われるようにしてもよい。同様に、携帯端末が第１の入力を受け取る際に、カレンダーの表示が行われる代わりに、あるいはカレンダー上に行われるのに加えて、時間軸の表示が行われるようにしてもよい。具体例は、次のとおりである。
図７は、第１の入力に係る情報である睡眠時間に関する情報の履歴、及び、第２の入力に係る情報である発作発生日時の情報の履歴が、１日２４時間を表す時間軸７１０とともに表示されている、携帯端末７００の画面の例を示している。同画面には、服薬時刻の情報も表示されている。なお、同図中、「発作発生」の欄における「（Ａ）」などのアルファベットは、図５に示すような発作の種類を表している。
また、携帯端末が第１の入力として「不眠」の項目の選択を受け取った場合に、図７に示す時間軸を伴う画面が表示され、操作者が睡眠時間に関する情報である就寝時刻及び起床時刻を当該画面上で入力できるようにしてもよい。
【００４７】
図８は、実施形態の携帯端末の構成を示す図である。
実施形態の携帯端末８００は、特定の症状の発現に関連する可能性のある事象を表す複数の項目を表示する事象項目表示部８１０と、前記複数の項目の中から少なくとも１つの項目を選択する第１の入力と前記特定の症状の発現に対応した第２の入力とを含む入力を受け取る入力情報受取部８２０と、第３の入力に応答して、前記第１の入力に係る情報及び前記第２の入力に係る情報の履歴を表示する履歴表示部８３０と、を有する。携帯端末８００は、ネットワークを介して、サーバ及び／又は他の端末装置に接続され得る。
【００４８】
図９は、実施形態における処理の例を示すフローチャートであり、各ステップは、実施形態に係るプログラムが携帯端末に実行させる処理を表している。
なお、以下に述べる各ステップは、矛盾のない限り処理の順序を入れ換えたり、同時に実行したりしてもよい。あるいは、一部のステップを実行しなくてもよい。処理の一部は、オペレーティングシステムなどのシステムプログラムが実行してもよい。
以下、順を追って各ステップについて説明する。
【００４９】
［ステップＳ９０２］本実施形態を実装するアプリケーションプログラムの起動指示が受け取られる。
［ステップＳ９０４］複数の項目を表示する処理及び履歴を表示する処理の少なくとも一方について表示の優先順位を決定するため、優先順位を第１の入力に係る情報の履歴に基づいて更新する処理である。プログラムが、このステップＳ９０４において更新される優先順位に基づいて、ステップＳ９０６及びＳ９２２における、項目の表示及び履歴の表示の優先順位を決定することにより、該当する患者について過去に行われた第１の入力の内容が、項目の表示及び履歴の表示の順序に反映されることとなる。
ステップＳ９０４の処理は、具体的には、例えば後述のステップＳ１００２以下のサブルーチンを実行することにより行われる。
プログラムが、設定された優先順位を用い、第１の入力に係る情報の履歴に基づいて優先順位を更新する処理は行わない場合、又は優先順位を用いない場合には、このステップＳ９０４は不要である。
［ステップＳ９０６］特定の症状の発現に関連する可能性のある事象を表す複数の項目を、設定された優先順位又はステップＳ９０４において更新された優先順位に基づいて、表示する。
［ステップＳ９０８］前記複数の項目の中から少なくとも１つの項目を選択する第１の入力又は特定の症状の発現に対応した第２の入力に関し、いずれかの入力が行われるべき時が到来したか否かを判断する。いずれかの入力が行われるべき時が到来したと判断した場合にはステップＳ９１０に、判断しない場合にはステップＳ９１２に、それぞれ移行する。
［ステップＳ９１０］一つ前のステップＳ９０８において、行われるべき時が到来したと判断された入力を促す表示を、携帯端末に行う。  
【００５０】
［ステップＳ９１２］携帯端末の操作により第１の入力が行われたか否かを判断し、行われたと判断された場合にはステップＳ９１４に移行し、行われたと判断されない場合にはステップＳ９１４をスキップしてステップＳ９１６に移行する。
［ステップＳ９１４］第１の入力を受け取る。また、設定に応じて、携帯端末から、あるいはネットワークを通じて接続されるサーバから、気温や気圧など環境に係る情報を取得する。
［ステップＳ９１６］携帯端末の操作により第２の入力が行われたか否かを判断し、行われたと判断された場合にはステップＳ９１８に移行し、行われたと判断されない場合にはステップＳ９１８をスキップしてステップＳ９２０に移行する。
［ステップＳ９１８］第２の入力を受け取る。
［ステップＳ９２０］携帯端末の操作により第３の入力が行われたか否かを判断し、行われたと判断された場合にはステップＳ９２２に移行し、行われたと判断されない場合にはステップＳ９２２をスキップして、今回の処理を終了する。
［ステップＳ９２２］設定された優先順位又はステップＳ９０４において更新された優先順位に基づいて、第１の入力に係る情報及び第２の入力に係る情報の履歴を表示するとともに、ステップＳ９１４において取得した環境に係る情報を表示する。
【００５１】
最後に、上記優先順位を更新する処理（Ｓ９０４）のサブルーチンに関して説明する。具体的には、複数の項目の表示及び第１の入力に係る情報の履歴の表示について共通に用いる優先順位を、第１の入力に係る情報の履歴に基づいて更新する処理に関して、説明する。
図１０Ａは、プログラムが、第１の入力として各項目が選択された頻度に応じて、優先順位を更新する場合の例である。
［ステップＳ１００２］事象を表す複数の項目の各々について、直近の一定期間内に第１の入力として選択された回数を取得する。
［ステップＳ１００４］上記項目の各々について、上記選択された回数に応じた優先順位を付与する。このステップＳ１００４の処理の後、ステップＳ９０４に戻る。
図１０Ｂは、プログラムが、発作との関連性が高いと判断される項目が優先されるように、優先順位を更新する場合の例である。
［ステップＳ１００６］事象を表す複数の項目の各々について、一定回数以上の発作が発生した日と同じ日又はその前日に第１の入力として選択された回数を取得する。
［ステップＳ１００８］上記項目の各々について、患者一般に関する情報としてあらかじめテーブル形式で用意されている、発作との関連性を点数化した数値を読み込む。
［ステップＳ１０１０］上記項目の各々について、上記選択された回数及び上記点数化した数値に応じた優先順位を付与する。このステップＳ１０１０の処理の後、ステップＳ９０４に戻る。
【００５２】
以上、実施形態に基づいて説明を行ってきたが、本明細書に記載されている実施形態は一例であって、特許請求の範囲において特定された発明を限定するためのものと解釈してはならない。
【符号の説明】
【００５３】
１００、２００、３００、４００、５００、６００、７００、８００  携帯端末
２９０  サーバ
８１０  事象項目表示部
８２０  入力情報受取部
８３０  履歴表示部
【要約】
【課題】
特定の症状の発現に関連する可能性のある種々の事象について、簡便な入力により情報の蓄積を可能にするとともに、蓄積された情報の履歴を携帯端末上で認識しやすく表示できるようにする。
【解決手段】
携帯端末１００において、特定の症状の発現（例えばてんかん発作）に関連する可能性のある、体調等に係る事象を表す、複数の項目を領域１１０に表示し、それら複数の項目の中から少なくとも１つの項目を選択する第１の入力を受け取り、前記特定の症状の発現に対応した第２の入力を領域１２０より受け取り、第３の入力に応答して、前記第１の入力に係る情報及び前記第２の入力に係る情報の履歴を表示する処理を、プログラムが当該携帯端末１００に実行させる。
【選択図】図１【図１】
0006867730.tif 000002
【図２】
0006867730.tif 000003
【図３】
0006867730.tif 000004
【図４】
0006867730.tif 000005
【図５】
0006867730.tif 000006
【図６】
0006867730.tif 000007
【図７】
0006867730.tif 000008
【図８】
0006867730.tif 000009
【図９】
0006867730.tif 000010
【図１０】
0006867730.tif 000011